(57)【要約】【課題】広域無線能力をコンパクトケース体に内蔵し、携帯し易さと完備機能の要求を両立させるノート型パーソナルコンピュータを提供する。【解決手段】本発明は、広域無線モジュールがベースに設けられ、アンテナがディスプレイに設けられ、両者の間の伝送線がベースとディスプレイに配線されて、ノート型パーソナルコンピュータに広域無線インターネットアクセスの機能を果たす。【選択図】図２
2008021171.tif 000002
【特許請求の範囲】
【請求項１】
ベースと、
前記ベースに枢着されるディスプレイと、
前記ベースに設けられる広域無線モジュールと、
前記ディスプレイに設けられるとともに、前記広域無線モジュールと電気的に接続される広域無線アンテナと、
を含むことを特徴とするノート型パーソナルコンピュータ。
【請求項２】
前記ベースと前記ディスプレイに設けられ、前記広域無線モジュールと前記広域無線アンテナを接続する伝送線をさらに含むことを特徴とする請求項１に記載のノート型パーソナルコンピュータ。
【請求項３】
前記広域無線モジュールは、３Ｇ無線ネットワークカードを含むことを特徴とする請求項１に記載のノート型パーソナルコンピュータ。
【請求項４】
前記広域無線アンテナは、３Ｇ無線アンテナであることを特徴とする請求項１に記載のノート型パーソナルコンピュータ。
【請求項５】
前記ベースは、対角線の距離が２９センチ以下であることを特徴とする請求項１に記載のノート型パーソナルコンピュータ。
【請求項６】
前記ベースと前記ディスプレイとの厚さの合計は３．２センチ以下であることを特徴とする請求項１に記載のノート型パーソナルコンピュータ。
【請求項７】
対角線の距離が２９センチ以下であるベースと、
前記ベースに枢着され、前記ベースとの厚さの合計は３．２センチ以下であるディスプレイと、
前記ベースに設けられる広域無線モジュールと、
前記ディスプレイに設けられるとともに、前記広域無線モジュールと電気的に接続される広域無線アンテナと、
を含むことを特徴とするノート型パーソナルコンピュータ。
【請求項８】
前記ベースと前記ディスプレイに設けられ、前記広域無線モジュールと前記広域無線アンテナを接続する伝送線をさらに含むことを特徴とする請求項７に記載のノート型パーソナルコンピュータ。
【請求項９】
前記広域無線モジュールは、３Ｇ無線ネットワークカードを含むことを特徴とする請求項７に記載のノート型パーソナルコンピュータ。
【請求項１０】
前記３Ｇ無線ネットワークカードは、ミニＰＣＩカードであることを特徴とする請求項９に記載のノート型パーソナルコンピュータ。
【請求項１１】
前記広域無線アンテナは、３Ｇ無線アンテナであることを特徴とする請求項７に記載のノート型パーソナルコンピュータ。
【発明の詳細な説明】
【技術分野】
【０００１】
本発明は、ノート型パーソナルコンピュータに関し、特に、広域無線通信機能を有するノート型パーソナルコンピュータに関する。
【背景技術】
【０００２】
通信は、人間の基本ニーズであり、人間と人間のコミュニケーションがポイントとされている。そして、インターネットアクセスは、人間と機械のコミュニケーションがポイントとされている。３Ｇ（いわゆる第３世代の携帯電話）は、周波数幅をより広くすることを可能にして、パケットにて費用を計算するプランを携帯電話利用者へ提供して、携帯電話にモバイルインターネットアクセス機能を果たせるようになっている。
【０００３】
現在、スクリーンがより大きく、色がより多く、速度がより速くなっている３Ｇ携帯電話をインターネットのプラットフォームに成長させるようにしているが、携帯電話は電話としての役割を超えようとできない。コンピュータではなく、電話であるという携帯電話に関する消費者の認識が明らかとなっている。
【０００４】
一方、モバイルコンピュータ、例えばノート型パーソナルコンピュータは、無線インターネットアクセスの機能を有するとともに、軽薄短小な方向に進んでいるが、既存の電子部材のサイズに限られているので、軽薄短小型のノート型パーソナルコンピュータは、機能上に制限がある。また、ノート型パーソナルコンピュータに機能を追加しようとする場合、外付け又は取りはずし可能な方法を採用することは普通である。
【０００５】
台湾実用新案公告公報第５８４２９２号には、図１のように、印刷配線板アンテナ１４は、部材をプラグインするとともに伝送線１６を外部に露出することにより、ノート型パーソナルコンピュータ１０の接続ポートと通信することが開示されている。これにより、ノート型パーソナルコンピュータの機能を増加することが可能であるが、携帯時は、プラグインの部材の持ちを忘れ、外部に露出した伝送線が使用時に障害物に引っ掛かる可能性があるので、若干使用に不便な点があり、且つノート型パーソナルコンピュータ全体の美観を害することになる。
【発明の開示】
【発明が解決しようとする課題】
【０００６】
本発明は、上記問題点に鑑みてなされたものであって、その目的は、広域無線能力をコンパクトケース体に内蔵し、携帯し易さと完備機能の要求を両立させるノート型パーソナルコンピュータを提供する点にある。
【０００７】
本発明は、広域無線アンテナがディスプレイパネルの周囲の枠体に設けられ、ベースの無線モジュールと電気的に接続され、ノート型パーソナルコンピュータの広域無線能力を提供するノート型パーソナルコンピュータを提供することを目的とする。
【０００８】
本発明は、３Ｇ広域無線アンテナがディスプレイパネルの周囲の枠体に設けられるとともに、ベースの無線モジュールと電気的に接続され、プラグイン或いは外付け部材の通信品質を向上するノート型パーソナルコンピュータを提供することを他の目的とする。
【課題を解決するための手段】
【０００９】
上記目的を達成するために、本発明に係る一実施例は、ベースと、ベースに枢着されるディスプレイと、ベースに設けられる広域無線モジュールと、ディスプレイに設けられるとともに、広域無線モジュールと電気的に接続される広域無線アンテナとを含むことを特徴とするノート型パーソナルコンピュータを提供する。
【発明を実施するための最良の形態】
【００１０】
以下、本発明の実施の形態を、図面を参照して説明する。なお、本発明の部材配置を明らかに表示するように、通常のノート型パーソナルコンピュータの内部の基本部材について図示を省略しているが、実際の実施例には、本発明に係るノート型パーソナルコンピュータが、メインボードや、その上の接続ポート、拡張スロット、ハードディスク、記憶部材などをいずれも有することとしている。
【００１１】
図２は、本発明の一実施例に基づいて、コンパクト型のノート型パーソナルコンピュータを実現する透視図である。コンパクト型ノート型パーソナルコンピュータの要求を満たすように、本実施例に係るノート型パーソナルコンピュータは、対角線の距離が２９センチ以下、厚さの合計が３．２センチ以下の矩形状ケース体を有しているが、本発明はこれに限らず、対角線の距離がより小さくて、或いは厚さがより薄い携帯コンピュータも本発明の範囲を逸脱することがないことは言うまでもない。
【００１２】
図２を参照して、コンパクト型ノート型パーソナルコンピュータ２０は、ベース２２とディスプレイ２４を有する。本実施例において、ベース２２には、ノート型パーソナルコンピュータ２０の動作を制御するメインボードと、例えばハードディスク、メモリ、接続ポート、電池等の電子部材が搭載されて、ベース２２の表面には、ノート型パーソナルコンピュータ２０の入力装置３０、例えばキーボードが設けられる。
【００１３】
本発明によれば、広域無線モジュール３２、例えばミニＰＣＩカード仕様の３Ｇ無線ネットワークカードがベース２２に設けられる。
【００１４】
一方、ディスプレイ２４は、ベース２２に開閉可能に枢着され、ディスプレイ２４の枠体に１つ又は複数の広域無線アンテナ３６が設けられ、広域無線アンテナ３６と広域無線モジュール３２とが接続されるように、伝送線３４はディスプレイ２４の枠体、枢着部、ベースに配線される。
【００１５】
以上のように、本発明の広域無線モジュール３２と広域無線アンテナ３６は、ノート型パーソナルコンピュータ２０に内蔵されて、広域無線モジュール３２と広域無線アンテナ３６の間の通信伝送線もディスプレイ２４とベース２２の間に配線されるので、ノート型パーソナルコンピュータ２０は、広域無線接続範囲内で、インターネットと無線通信が相互接続可能であり、情報をどこも利用できるメリットがある。
【００１６】
従来の技術に比較すると、本発明のノート型パーソナルコンピュータ２０は、プラグイン或いは外付けを介して広域無線装置を取付け又は接続することはなく、内蔵の方式を用いることにより、無線通信の品質を向上させることができるとともに、ノート型パーソナルコンピュータの品質テストの際に、一緒にテストすることができる。
【００１７】
さらに、別途の部材が不要となり、本発明のノート型パーソナルコンピュータのみを携帯すれば、広域無線インターネットアクセス通信の機能を備えて、ノート型パーソナルコンピュータの携帯可能性をより向上する。
【００１８】
本発明の他の実施例として、対角線の距離が２９センチ以下であるベースと、ベースに枢着され、ベースとの厚さの合計は３．２センチ以下であるディスプレイと、ベースに設けられる広域無線モジュールと、該ディスプレイに設けられるとともに、該広域無線モジュールと電気的に接続される広域無線アンテナとを含むことを特徴とするノート型パーソナルコンピュータを提供している。
【００１９】
以上、本発明の実施例について説明したが、この実施例は、本発明の技術思想と特性を説明するためのものであり、当業者に本発明の内容を理解させるとともにその内容によって実施することができることを目的として、本発明の特許請求の範囲を限定するためのものではない。本発明の特許請求の範囲は、本発明に開示された思想によって作られる均等の変更／改良が含まれることが意図される。
【図面の簡単な説明】
【００２０】
【図１】従来のノート型パーソナルコンピュータの立体図である。
【図２】本発明の一実施例におけるノート型パーソナルコンピュータを示す斜視図である。
【符号の説明】
【００２１】
１１  ノート型パーソナルコンピュータ
１４  印刷配線基板アンテナ
１６  伝送線
２０  ノート型パーソナルコンピュータ
２２  ベース
２４  ディスプレイ
３０  入力装置
３２  広域無線モジュール
３４  伝送線
３６  広域無線アンテナ
【図１】
2008021171.tif 000003
【図２】
2008021171.tif 000004